【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
（Ａ）一般式（ｉ）のユニットＩと、一般式（ｉｉ）のユニットＩＩがランダムに結合した、一般式（ａ）：
【化１】
1998182766.tif 000001
で示される構造を末端に含むところのポリプロピレン系マクロモノマーが重合して成り、数平均分子量が５，０００〜１，０００，０００であることを特徴とするグラフトポリマー。
【化２】
1998182766.tif 000002
［式（ｉ）中、Ｒａは水素原子またはメチル基であり；Ｘは、炭素‐炭素の不飽和結合を少なくとも１つ有し、かつ活性水素を有しない有機基、で示される構造単位であり；ｎはポリプロピレン１分子当たりの平均値で、０．１〜５００の範囲にある］
【化３】
1998182766.tif 000003
［式（ｉｉ）中、Ｒａは前記と同義であり；Ｙは水素原子または炭素数２〜１０の飽和の分岐していてもよいアルキル基、で示される構造単位から選ばれる１種または２種以上であり；ｍはポリプロピレン１分子当たりの平均値で、０〜５００の範囲にある］
【請求項２】
式（ｉ）においてＸが−ＣＨ＝ＣＨ２であり、かつ式（ｉｉ）においてＹが−ＣＨ２ＣＨ３である請求項１に記載のグラフトポリマー。
【請求項３】
（Ａ）一般式（ｉ）のユニットＩと、一般式（ｉｉ）のユニットＩＩがランダムに結合した、一般式（ａ）：
【化４】
1998182766.tif 000004
で示される構造を末端に含むところのポリプロピレン系マクロモノマー、および（Ｂ）炭素‐炭素不飽和結合を少なくとも１つ有する有機化合物から選ばれる１種以上のモノマーが共重合して成り、数平均分子量が５，０００〜１，０００，０００であることを特徴とするグラフトポリマー。
【化５】
1998182766.tif 000005
［式（ｉ）中、Ｒａは水素原子またはメチル基であり；Ｘは、炭素‐炭素の不飽和結合を少なくとも１つ有し、かつ活性水素を有しない有機基、で示される構造単位であり；ｎはポリプロピレン１分子当たりの平均値で、０．１〜５００の範囲にある］
【化６】
1998182766.tif 000006
［式（ｉｉ）中、Ｒａは前記と同義であり；Ｙは水素原子または炭素数２〜１０の飽和の分岐していてもよいアルキル基、で示される構造単位から選ばれる１種または２種以上であり；ｍはポリプロピレン１分子当たりの平均値で、０〜５００の範囲にある］
【請求項４】
式（ｉ）においてＸが−ＣＨ＝ＣＨ２であり、かつ式（ｉｉ）においてＹが−ＣＨ２ＣＨ３である請求項３に記載のグラフトポリマー。
【請求項５】
下記一般式（ｉｉｉ）で示されるバナジウム化合物と有機アルミニウム化合物とからなる触媒の存在下、プロピレンを重合して得られるリビングポリプロピレンを、下記一般式（ｉｖ）及び一般式（ｖｉｉｉ）で表される化合物と反応させて、末端が前記一般式（ａ）で示される（Ａ）ポリプロピレン系マクロモノマーを得た後、該マクロモノマーをラジカル重合、カチオン重合、アニオン重合、又は配位重合から選ばれるいずれかによって重合させることからなる、請求項１に記載のグラフトポリマーの製造方法。
【化１３】
1998182766.tif 000007
［式（ｉｉｉ）中、Ｒ１、Ｒ２およびＲ３はそれぞれ独立して、水素原子または炭素数１〜８個を有する炭化水素基を表す。ただし、Ｒ１〜Ｒ３の少なくとも１つが水素原子である必要があるが、Ｒ１〜Ｒ３の全部が水素原子であってはならない。］
【化１４】
1998182766.tif 000008
［式（ｉｖ）中、ＲａおよびＸは前記と同義である。］
【化１９】
1998182766.tif 000009
［式（ｖｉｉｉ）中、ＲａおよびＹは前記と同義である。］
【請求項６】
下記一般式（ｉｉｉ）で示されるバナジウム化合物と有機アルミニウム化合物とからなる触媒の存在下、プロピレンを重合して得られるリビングポリプロピレンを、下記一般式（ｉｖ）及び一般式（ｖｉｉｉ）で表される化合物と反応させて、末端が前記一般式（ａ）で示される（Ａ）ポリプロピレン系マクロモノマーを得た後、該マクロモノマーを、（Ｂ）炭素‐炭素不飽和結合を少なくとも１つ有する有機化合物から選ばれる１種以上のモノマーとラジカル重合、カチオン重合、アニオン重合、又は配位重合から選ばれるいずれかによって共重合させることからなる、請求項３に記載のグラフトポリマーの製造方法。
【化１３】
1998182766.tif 000010
［式（ｉｉｉ）中、Ｒ１、Ｒ２およびＲ３はそれぞれ独立して、水素原子または炭素数１〜８個を有する炭化水素基を表す。ただし、Ｒ１〜Ｒ３の少なくとも１つが水素原子である必要があるが、Ｒ１〜Ｒ３の全部が水素原子であってはならない。］
【化１４】
1998182766.tif 000011
［式（ｉｖ）中、ＲａおよびＸは前記と同義である。］
【化１９】
1998182766.tif 000012
［式（ｖｉｉｉ）中、ＲａおよびＹは前記と同義である。］
【手続補正２】
【補正対象書類名】明細書
【補正対象項目名】０００６
【補正方法】変更
【補正の内容】
【０００６】
すなわち本発明の第１の発明によれば、（Ａ）一般式（ｉ）のユニットＩと、一般式（ｉｉ）のユニットＩＩがランダムに結合した、一般式（ａ）：


【手続補正３】
【補正対象書類名】明細書
【補正対象項目名】０００７
【補正方法】変更
【補正の内容】
【０００７】
【化７】−｛（Ｉ）ｎ，（ＩＩ）ｍ｝−Ｈ  （ａ）
で示される構造を末端に含むところのポリプロピレン系マクロモノマーが重合して成り、数平均分子量が５，０００〜１，０００，０００であることを特徴とするグラフトポリマーが提供される。


【手続補正４】
【補正対象書類名】明細書
【補正対象項目名】０００８
【補正方法】変更
【補正の内容】
【０００８】
【化８】
1998182766.tif 000013
［式（ｉ）中、Ｒａは水素原子またはメチル基であり；Ｘは、炭素‐炭素の不飽和結合を少なくとも１つ有し、かつ活性水素を有しない有機基、で示される構造単位であり；ｎはポリプロピレン１分子当たりの平均値で、０．１〜５００の範囲にある］


【手続補正５】
【補正対象書類名】明細書
【補正対象項目名】０００９
【補正方法】変更
【補正の内容】
【０００９】
【化９】
1998182766.tif 000014
［式（ｉｉ）中、Ｒａは前記と同義であり；Ｙは水素原子または炭素数２〜１０の飽和の分岐していてもよいアルキル基、で示される構造単位から選ばれる１種または２種以上であり；ｍはポリプロピレン１分子当たりの平均値で、０〜５００の範囲にある］


【手続補正６】
【補正対象書類名】明細書
【補正対象項目名】００１０
【補正方法】変更
【補正の内容】
【００１０】
すなわち本発明の第２の発明によれば、（Ａ）一般式（ｉ）のユニットＩと、一般式（ｉｉ）のユニットＩＩがランダムに結合した、一般式（ａ）：


【手続補正７】
【補正対象書類名】明細書
【補正対象項目名】００１１
【補正方法】変更
【補正の内容】
【００１１】
【化１０】−｛（Ｉ）ｎ，（ＩＩ）ｍ｝−Ｈ  （ａ）
で示される構造を末端に含むところのポリプロピレン系マクロモノマー、および（Ｂ）炭素‐炭素不飽和結合を少なくとも１つ有する有機化合物から選ばれる１種以上のモノマーが共重合して成り、数平均分子量が５，０００〜１，０００，０００であることを特徴とするグラフトポリマーが提供される。


【手続補正８】
【補正対象書類名】明細書
【補正対象項目名】００１２
【補正方法】変更
【補正の内容】
【００１２】
【化１１】
1998182766.tif 000015
［式（ｉ）中、Ｒａは水素原子またはメチル基であり；Ｘは、炭素‐炭素の不飽和結合を少なくとも１つ有し、かつ活性水素を有しない有機基、で示される構造単位であり；ｎはポリプロピレン１分子当たりの平均値で、０．１〜５００の範囲にある］


【手続補正９】
【補正対象書類名】明細書
【補正対象項目名】００１３
【補正方法】変更
【補正の内容】
【００１３】
【化１２】
1998182766.tif 000016
［式（ｉｉ）中、Ｒａは前記と同義であり；Ｙは水素原子または炭素数２〜１０の飽和の分岐していてもよいアルキル基で示される構造単位から選ばれる１種または２種以上であり；ｍはポリプロピレン１分子当たりの平均値で、０〜５００の範囲にある］
一方、本発明の第５の発明によれば、第１の発明において、下記一般式（ｉｉｉ）で示されるバナジウム化合物と有機アルミニウム化合物とからなる触媒の存在下、プロピレンを重合して得られるリビングポリプロピレンを、下記一般式（ｉｖ）及び一般式（ｖｉｉｉ）で表される化合物と反応させて、末端が前記一般式（ａ）で示される（Ａ）ポリプロピレン系マクロモノマーを得た後、該マクロモノマーをラジカル重合、カチオン重合、アニオン重合、又は配位重合から選ばれるいずれかによって重合させることからなるグラフトポリマーの製造方法が提供される。
【化１３】
1998182766.tif 000017
［式（ｉｉｉ）中、Ｒ１、Ｒ２およびＲ３はそれぞれ独立して、水素原子または炭素数１〜８個を有する炭化水素基を表す。ただし、Ｒ１〜Ｒ３の少なくとも１つが水素原子である必要があるが、Ｒ１〜Ｒ３の全部が水素原子であってはならない。］
【化１４】
1998182766.tif 000018
［式（ｉｖ）中、ＲａおよびＸは前記と同義である。］
【化１９】
1998182766.tif 000019
［式（ｖｉｉｉ）中、ＲａおよびＹは前記と同義である。］
また、本発明の第６の発明によれば、第３の発明において、下記一般式（ｉｉｉ）で示されるバナジウム化合物と有機アルミニウム化合物とからなる触媒の存在下、プロピレンを重合して得られるリビングポリプロピレンを、下記一般式（ｉｖ）及び一般式（ｖｉｉｉ）で表される化合物と反応させて、末端が前記一般式（ａ）で示される（Ａ）ポリプロピレン系マクロモノマーを得た後、該マクロモノマーを、（Ｂ）炭素‐炭素不飽和結合を少なくとも１つ有する有機化合物から選ばれる１種以上のモノマーとラジカル重合、カチオン重合、アニオン重合、又は配位重合から選ばれるいずれかによって共重合させることからなるグラフトポリマーの製造方法が提供される。
【化１３】
1998182766.tif 000020
［式（ｉｉｉ）中、Ｒ１、Ｒ２およびＲ３はそれぞれ独立して、水素原子または炭素数１〜８個を有する炭化水素基を表す。ただし、Ｒ１〜Ｒ３の少なくとも１つが水素原子である必要があるが、Ｒ１〜Ｒ３の全部が水素原子であってはならない。］
【化１４】
1998182766.tif 000021
［式（ｉｖ）中、ＲａおよびＸは前記と同義である。］
【化１９】
1998182766.tif 000022
［式（ｖｉｉｉ）中、ＲａおよびＹは前記と同義である。］